(57)【要約】【課題】  直管形ＬＥＤランプが誤って取り外されることを防止することが可能なＬＥＤ照明装置を提供すること。【解決手段】  ＬＥＤ照明装置１０１は、軸方向両端に配置された口金２５０を有する直管形ＬＥＤランプ２００と、口金２５０が装填されるソケット４０１と、を備えており、ソケット４０１は、口金２５０に直接接するとともに、直管形ＬＥＤランプ２００を保持する前進状態と、上記前進状態よりも他方のソケットに対して離間することにより直管形ＬＥＤランプ２００を取り外し可能な状態を生じさせる後退状態と、をとる接続可動部４２０、およびこの接続可動部４２０を支持する固定部４１０を有しており、直管形ＬＥＤランプ２００と固定部４１０との間に介在し、接続可動部４２０が上記前進状態から上記後退状態をとることを阻止するスペーサ５００を備えている。【選択図】  図３
2014078397.tif 000002
【特許請求の範囲】
【請求項１】
軸方向両端に配置された２つの口金を有する直管形ＬＥＤランプと、
上記２つの口金が装填される２つのソケットと、を備えており、
上記２つのソケットの一方は、上記口金に直接接するとともに、上記直管形ＬＥＤランプを保持する前進状態と、上記前進状態よりも他方の上記ソケットに対して離間することにより上記直管形ＬＥＤランプを取り外し可能な状態を生じさせる後退状態と、をとる接続可動部、およびこの接続可動部を支持する固定部を有しており、
上記直管形ＬＥＤランプと固定部との間に介在し、上記接続可動部が上記前進状態から上記後退状態をとることを阻止するスペーサを備えていることを特徴とする、ＬＥＤ照明装置。
【請求項２】
上記接続可動部は、上記前進状態において上記固定部から突出しており、
上記接続可動部が上記後退状態であるときに、上記直管形ＬＥＤランプは、上記固定部内に進入しない、請求項１に記載のＬＥＤ照明装置。
【請求項３】
上記スペーサは、上記前進状態にある上記接続可動部のうち上記直管形ＬＥＤランプの周方向における少なくとも一部を覆っている、請求項２に記載のＬＥＤ照明装置。
【請求項４】
上記スペーサは、上記前進状態にある上記接続可動部のうち上記直管形ＬＥＤランプの周方向における全周を覆っている、請求項３に記載のＬＥＤ照明装置。
【請求項５】
上記スペーサは、両端が互いに隣接する円弧状部と、この両端から上記直管形ＬＥＤランプの径方向外方に突出する２つの締結部と、を有する、請求項３または４に記載のＬＥＤ照明装置。
【請求項６】
上記スペーサは、上記２つの締結部が離間することを阻止する離間阻止手段を有する、請求項５に記載のＬＥＤ照明装置。
【請求項７】
上記離間阻止手段は、上記２つの締結部を貫通するリベットまたはねじである、請求項６に記載のＬＥＤ照明装置。
【請求項８】
上記２つのソケットを支持する土台部を備えており、
上記締結部は、上記接続可動部に対して上記土台部側にある、請求項５ないし７のいずれかに記載のＬＥＤ照明装置。
【請求項９】
上記円弧状部は、弾性変形可能な材質からなる、請求項５ないし８のいずれかに記載のＬＥＤ照明装置。
【請求項１０】
上記弾性変形可能な材質は、樹脂である、請求項９に記載のＬＥＤ照明装置。
【請求項１１】
上記円弧状部は、その外周面が、上記直管形ＬＥＤランプの上記口金の外周面と面一とされている、請求項５ないし１０のいずれかに記載のＬＥＤ照明装置。
【請求項１２】
上記２つのソケットを支持する土台部を備えており、
上記スペーサは、上記土台部に対して固定されている、請求項３または４に記載のＬＥＤ照明装置。
【請求項１３】
上記スペーサは、上記接続可動部を挟んで上記土台部とは反対側に位置する円弧状部と、上記円弧状部の両端から上記土台部に向かって延びる２つの脚部と、これらの脚部の先端に繋がり上記土台部に取り付けられた２つの取り付け部と、を有する、請求項１２に記載のＬＥＤ照明装置。
【請求項１４】
上記２つの取り付け部は、リベットまたはねじによって上記土台部に取り付けられている、請求項１３に記載のＬＥＤ照明装置。
【請求項１５】
上記２つの取り付け部の一方は、上記土台部に設けられた取り付け用開口に係合しており、上記２つの取り付け部の一方は、リベットまたはねじによって上記土台部に取り付けられている、請求項１３に記載のＬＥＤ照明装置。
【請求項１６】
上記直管形ＬＥＤランプの長手方向視において、上記接続可動部は上記直管形ＬＥＤランプよりも大であり、
上記接続可動部が上記後退状態であるときに、上記直管形ＬＥＤランプは、その一部が上記固定部内に進入する、請求項１に記載のＬＥＤ照明装置。
【請求項１７】
上記スペーサは、上記直管形ＬＥＤランプの長手方向視において上記接続可動部および上記固定部のいずれとも重なる干渉部を有する、請求項１６に記載のＬＥＤ照明装置。
【請求項１８】
上記スペーサは、上記干渉部に繋がり、上記口金を覆う円弧状部を有する、請求項１７に記載のＬＥＤ照明装置。
【請求項１９】
上記２つのソケットを支持する土台部を備えており、
上記スペーサは、上記土台部に対して固定されている、請求項１８のに記載のＬＥＤ照明装置。
【請求項２０】
上記スペーサは、上記円弧状部の両端から上記土台部に向かって延びる２つの脚部と、これらの脚部の先端に繋がり上記土台部に取り付けられた２つの取り付け部と、を有する、請求項１９に記載のＬＥＤ照明装置。
【請求項２１】
上記２つの取り付け部は、リベットまたはねじによって上記土台部に取り付けられている、請求項２０に記載のＬＥＤ照明装置。
【請求項２２】
上記２つの取り付け部の一方は、上記土台部に設けられた取り付け用開口に係合しており、上記２つの取り付け部の一方は、リベットまたはねじによって上記土台部に取り付けられている、請求項２０に記載のＬＥＤ照明装置。
【発明の詳細な説明】
【技術分野】
【０００１】
本発明は、ＬＥＤ照明装置に関する。
【背景技術】
【０００２】
ＬＥＤチップを光源として用いた直管形ＬＥＤランプが提案されている。特許文献１には、長矩形状の基板と、この基板上に搭載された複数のＬＥＤモジュールと、上記基板を収容する管状のカバーと、２つの口金とを備えている。上記複数のＬＥＤモジュールは、各々がＬＥＤチップを内蔵している。上記２つの口金は、この直管形ＬＥＤランプの両端に設けられている。この直管形ＬＥＤランプは、上記２つの口金を一般用蛍光灯照明器具のソケットの差込口に嵌合させることにより、上記複数のＬＥＤモジュールを発光させることが可能であり、一般用直管形蛍光灯の代替手段として用いることが可能に構成されている。
【０００３】
上記直管形ＬＥＤランプは、管状の上記カバーを透して上記複数のＬＥＤモジュールからの光を出射する。このような直管形ＬＥＤランプの外観は、直管形蛍光灯に類似したものとされている。このため、一般用蛍光灯照明器具に取り付けられた上記直管形ＬＥＤランプを直管形蛍光灯と誤認され、直管形蛍光灯に取り替えられる可能性がある。たとえば、上記直管形ＬＥＤランプを取り付けるために、一般用蛍光灯照明器具の電源部に変更が施される場合がある。このような変更が施された一般用蛍光灯照明器具に直管形蛍光灯が取り付けることは好ましくない。
【先行技術文献】
【特許文献】
【０００４】
【特許文献１】実開平６−５４１０３号公報
【発明の概要】
【発明が解決しようとする課題】
【０００５】
本発明は、上記した事情のもとで考え出されたものであって、直管形ＬＥＤランプが誤って取り外されることを防止することが可能なＬＥＤ照明装置を提供することをその課題とする。
【課題を解決するための手段】
【０００６】
本発明によって提供されるＬＥＤ照明装置は、軸方向両端に配置された２つの口金を有する直管形ＬＥＤランプと、上記２つの口金が装填される２つのソケットと、を備えており、上記２つのソケットの一方は、上記口金に直接接するとともに、上記直管形ＬＥＤランプを保持する前進状態と、上記前進状態よりも他方の上記ソケットに対して離間することにより上記直管形ＬＥＤランプを取り外し可能な状態を生じさせる後退状態と、をとる接続可動部、およびこの接続可動部を支持する固定部を有しており、上記直管形ＬＥＤランプと固定部との間に介在し、上記接続可動部が上記前進状態から上記後退状態をとることを阻止するスペーサを備えていることを特徴としている。
【０００７】
本発明の好ましい実施の形態においては、上記接続可動部は、上記前進状態において上記固定部から突出しており、上記接続可動部が上記後退状態であるときに、上記直管形ＬＥＤランプは、上記固定部内に進入しない。
【０００８】
本発明の好ましい実施の形態においては、上記スペーサは、上記前進状態にある上記接続可動部のうち上記直管形ＬＥＤランプの周方向における少なくとも一部を覆っている。
【０００９】
本発明の好ましい実施の形態においては、上記スペーサは、上記前進状態にある上記接続可動部のうち上記直管形ＬＥＤランプの周方向における全周を覆っている。
【００１０】
本発明の好ましい実施の形態においては、上記スペーサは、両端が互いに隣接する円弧状部と、この両端から上記直管形ＬＥＤランプの径方向外方に突出する２つの締結部と、を有する。
【００１１】
本発明の好ましい実施の形態においては、上記スペーサは、上記２つの締結部が離間することを阻止する離間阻止手段を有する。
【００１２】
本発明の好ましい実施の形態においては、上記離間阻止手段は、上記２つの締結部を貫通するリベットまたはねじである。
【００１３】
本発明の好ましい実施の形態においては、上記２つのソケットを支持する土台部を備えており、上記締結部は、上記接続可動部に対して上記土台部側にある。
【００１４】
本発明の好ましい実施の形態においては、上記円弧状部は、弾性変形可能な材質からなる。
【００１５】
本発明の好ましい実施の形態においては、上記弾性変形可能な材質は、樹脂である。
【００１６】
本発明の好ましい実施の形態においては、上記円弧状部は、その外周面が、上記直管形ＬＥＤランプの上記口金の外周面と面一とされている。
【００１７】
本発明の好ましい実施の形態においては、上記２つのソケットを支持する土台部を備えており、上記スペーサは、上記土台部に対して固定されている。
【００１８】
本発明の好ましい実施の形態においては、上記スペーサは、上記接続可動部を挟んで上記土台部とは反対側に位置する円弧状部と、上記円弧状部の両端から上記土台部に向かって延びる２つの脚部と、これらの脚部の先端に繋がり上記土台部に取り付けられた２つの取り付け部と、を有する。
【００１９】
本発明の好ましい実施の形態においては、上記２つの取り付け部は、リベットまたはねじによって上記土台部に取り付けられている。
【００２０】
本発明の好ましい実施の形態においては、上記２つの取り付け部の一方は、上記土台部に設けられた取り付け用開口に係合しており、上記２つの取り付け部の一方は、リベットまたはねじによって上記土台部に取り付けられている。
【００２１】
本発明の好ましい実施の形態においては、上記直管形ＬＥＤランプの長手方向視において、上記接続可動部は上記直管形ＬＥＤランプよりも大であり、上記接続可動部が上記後退状態であるときに、上記直管形ＬＥＤランプは、その一部が上記固定部内に進入する。
【００２２】
本発明の好ましい実施の形態においては、上記スペーサは、上記直管形ＬＥＤランプの長手方向視において上記接続可動部および上記固定部のいずれとも重なる干渉部を有する。
【００２３】
本発明の好ましい実施の形態においては、上記スペーサは、上記干渉部に繋がり、上記口金を覆う円弧状部を有する。
【００２４】
本発明の好ましい実施の形態においては、上記２つのソケットを支持する土台部を備えており、上記スペーサは、上記土台部に対して固定されている。
【００２５】
本発明の好ましい実施の形態においては、上記スペーサは、上記円弧状部の両端から上記土台部に向かって延びる２つの脚部と、これらの脚部の先端に繋がり上記土台部に取り付けられた２つの取り付け部と、を有する。
【００２６】
本発明の好ましい実施の形態においては、上記２つの取り付け部は、リベットまたはねじによって上記土台部に取り付けられている。
【００２７】
本発明の好ましい実施の形態においては、上記２つの取り付け部の一方は、上記土台部に設けられた取り付け用開口に係合しており、上記２つの取り付け部の一方は、リベットまたはねじによって上記土台部に取り付けられている。
【００２８】
このような構成によれば、上記直管形ＬＥＤランプと上記固定部との間にある上記スペーサが、上記直管形ＬＥＤランプが上記接続可動部側に移動することを阻止する。このため、上記接続可動部は、前進状態をとり続けることとなり、後退状態をとることが阻止される。したがって、上記直管形ＬＥＤランプが誤って取り外されてしまうことを防止することができる。
【００２９】
本発明のその他の特徴および利点は、添付図面を参照して以下に行う詳細な説明によって、より明らかとなろう。
【図面の簡単な説明】
【００３０】
【図１】本発明の第１実施形態に基づくＬＥＤ照明装置を示す斜視図である。
【図２】図１のＩＩ−ＩＩ線に沿う断面図である。
【図３】図２のＩＩＩ−ＩＩＩ線に沿う要部断面図である。
【図４】図１のＬＥＤ照明装置を組み立てる工程を示す斜視図である。
【図５】図１のＬＥＤ照明装置を組み立てる工程を示す斜視図である。
【図６】図１のＬＥＤ照明装置を組み立てる工程を示す斜視図である。
【図７】図１のＬＥＤ照明装置を組み立てる工程を示す斜視図である。
【図８】本発明の第２実施形態に基づくＬＥＤ照明装置を示す斜視図である。
【図９】図８のＩＸ−ＩＸ線に沿う断面図である。
【図１０】本発明の第３実施形態に基づくＬＥＤ照明装置を示す断面図である。
【図１１】本発明の第４実施形態に基づくＬＥＤ照明装置を示す要部断面図である。
【発明を実施するための形態】
【００３１】
以下、本発明の好ましい実施の形態につき、図面を参照して具体的に説明する。
【００３２】
図１〜図３は、本発明の第１実施形態に基づくＬＥＤ照明装置を示している。本実施形態のＬＥＤ照明装置１０１は、直管形ＬＥＤランプ２００、土台部３００、２つのソケット４０１，４０２、およびスペーサ５００を備えている。ＬＥＤ照明装置１０１は、一般用直管形蛍光灯に代えて直管形ＬＥＤランプ２００が用いられた照明装置である。
【００３３】
直管形ＬＥＤランプ２００は、基板２１０、複数のＬＥＤチップ２２０、放熱部材２３０、カバー２４０、および２つの口金２５０を備えており、細長い円柱形状とされている。
【００３４】
基板２１０は、直管形ＬＥＤランプ２００の軸方向を長手方向とする長矩形状であり、たとえばガラスエポキシ樹脂からなる基材と、この基材上に形成された配線パターンとを有している。上記基材は、表面が絶縁性であることが好ましく、たとえばセラミックスや絶縁膜によって覆われたアルミによって構成されてもよい。
【００３５】
複数のＬＥＤチップ２２０は、直管形ＬＥＤランプ２００の光源であり、たとえばＧａＮ系半導体からなる複数の半導体層を有する。ＬＥＤチップ２２０は、たとえば、上記基板２１０に直接搭載されたベアチップタイプである。この場合、ＬＥＤチップ２２０は、たとえば蛍光樹脂（図示略）によって覆われる。ＬＥＤチップ２２０がたとえば青色光を発する場合、上記蛍光樹脂は、透明な樹脂に青色光によって励起されることにより黄色光を発する蛍光材料が混入された材質からなる。これにより、直管形ＬＥＤランプ２００は、白色光を発する。ＬＥＤチップ２２０は、上記ベアチップタイプに限定されず、たとえば、ＬＥＤチップ２２０を覆うケース、このケース内に充填されＬＥＤチップ２２０を覆う上記蛍光樹脂、およびＬＥＤチップ２２０に導通する実装端子を備えた、パッケージ化されたＬＥＤモジュールとして用いてもよい。複数のＬＥＤチップ２２０は、たとえば基板２１０の長手方向に沿って配列されている。
【００３６】
放熱部材２３０は、たとえばアルミなどの金属からなり、基板２１０に接合されている。放熱部材２３０は、複数のＬＥＤチップ２２０からの熱を効率良く放散するために用いられている。
【００３７】
カバー２４０は、円管状であり、たとえば乳白色の半透明な樹脂からなる。カバー２４０は、基板２１０、複数のＬＥＤチップ２２０、および放熱部材２３０を収容している。
【００３８】
２つの口金２５０は、カバー２４０の長手方向両端に配置されている。各口金２５０には、２本の端子２５１が設けられている。２本ずつの端子２５１は、そのすべてが、もしくはそのいずれかが、基板２１０の上記配線パターンに導通している。２つの口金２５０は、直管形ＬＥＤランプ２００を一般用直管形蛍光灯の口金と同様の形状およびサイズとされている。
【００３９】
土台部３００は、直管形ＬＥＤランプ２００をたとえば天井などに取り付けるための部位であり、たとえば金属または樹脂などからなる。本実施形態においては、土台部３００は、直管形ＬＥＤランプ２００の軸方向を長手方向とする直方体形状とされている。
【００４０】
２つのソケット４０１，４０２は、土台部３００の長手方向両端寄りの位置に離間配置されている。２つのソケット４０１，４０２は、直管形ＬＥＤランプ２００の２つの口金２５０が装填される部位であり、一般用直管形蛍光灯の口金も装填可能な形状およびサイズである。
【００４１】
図３に示すように、ソケット４０１は、固定部４１０、接続可動部４２０、およびばね４３０を有している。固定部４１０は、土台部３００に対して固定されている部位である。本実施形態においては、固定部４１０は、直方体部分と断面半円形状部分とが結合された形状とされている。図１および図３に示すように、固定部４１０の上記断面半円形状部分の外周面と直管形ＬＥＤランプ２００の口金２５０の外周面とは、面一とされている。
【００４２】
接続可動部４２０は、その一部が固定部４１０内に収納されており、口金２５０の２本の端子２５１が挿通される。本実施形態においては、接続可動部４２０は、直管形ＬＥＤランプ２００よりも直径が若干小である略円筒形状である。ばね４３０は、固定部４１０内に収納されており、固定部４１０と接続可動部４２０との間に介在されている。このような構成により、接続可動部４２０は、図３に示されたように、ばね４３０の弾性力によって固定部４１０からソケット４０２側へと突出した状態である前進状態をとる。また、接続可動部４２０は、外力を受けることによってばね４３０が収縮すると、そのほとんどが固定部４１０内に収納される。この状態が、本発明で言う後退状態である。
【００４３】
スペーサ５００は、ソケット４０１が前進状態から後退状態をとることを阻止するためのものである。本実施形態においては、図１〜図３に示すように、スペーサ５００は、円弧状部５１０、２つの締結部５２０、およびリベット５８０を有する。円弧状部５１０および２つの締結部５２０は、弾性変形可能な材質からなる。このような材質としては、樹脂または金属が好ましい。
【００４４】
円弧状部５１０は、直管形ＬＥＤランプ２００の軸方向と軸方向を共通とする短軸の円筒に類似した形状である。図２によく表れているように、円弧状部５１０は、土台部３００側の部位が分離されている。図３に示すように、円弧状部５１０は、直管形ＬＥＤランプ２００の軸方向において固定部４１０と直管形ＬＥＤランプ２００の口金２５０との間に配置されている。直管形ＬＥＤランプ２００の軸方向視においては、固定部４１０、スペーサ５００の円弧状部５１０、および直管形ＬＥＤランプ２００の口金２５０が重なっている。本実施形態においては、円弧状部５１０の直径は、直管形ＬＥＤランプ２００の口金２５０の直径とほぼ同一である。
【００４５】
２つの締結部５２０は、円弧状部５１０の両端から直管形ＬＥＤランプ２００の径方向外方に突出しており、互いに重なり合っている。リベット５８０は、２つの締結部５２０が離間することを阻止する離間阻止手段の一例に相当する。リベット５８０は、２つの締結部５２０に設けられた孔を貫通しており、両端が肥大した形状となっている。なお、本発明で言う離間阻止手段は、リベット５８０に限定されず、リベット５８０に代えてねじを用いてもよい。あるいは、離間阻止手段として、接着剤、溶着、締結ワイヤなどを用いることができる。
【００４６】
次いで、図４〜図７を参照しつつ、ＬＥＤ照明装置１０１を組み立てる工程を以下に説明する。
【００４７】
まず図４に示すように、土台部３００およびソケット４０１，４０２が互いに取り付けられた状態とする。この際、土台部３００は、たとえば天井（図示略）に取り付けられている。次いで、直管形ＬＥＤランプ２００一方の口金２５０の２本の端子２５１をソケット４０１に挿入する。そして、直管形ＬＥＤランプ２００によってソケット４０１の接続可動部４２０を押す。これにより、接続可動部４２０が前進状態から後退状態へと変化する。ソケット４０１が後退状態をとると、ソケット４０１とソケット４０２との最短距離が、接続可動部４２０が後退した分だけ拡大する。これにより、直管形ＬＥＤランプ２００の他方の口金２５０の２本の端子２５１をソケット４０２の正面に位置させることが可能となる。この状態で直管形ＬＥＤランプ２００によるソケット４０１の接続可動部４２０への押圧を解除する。その結果、接続可動部４２０がばね４３０の弾性力によって前進する。これにより、接続可動部４２０が前進状態を取り、他方の口金２５０の２本の端子２５１がソケット４０２に挿入される。
【００４８】
次いで、図５に示すように、リベット５８０がいまだ取り付けられていないスペーサ５００を用意する。そして、２つの締結部５２０を互いに離間させるように、円弧状部５１０を弾性変形させる。２つの締結部５２０の間にソケット４０１の接続可動部４２０を通し、スペーサ５００によって接続可動部４２０を抱え込む姿勢をとらせる。
【００４９】
次いで、図６に示すように２つの締結部５２０にリベット５８０を挿通する。リベット５８０の一端は、すでに肥大した形状となっている。そして、挿通の後にリベット５８０の他端を変形させることにより肥大した形状とする。これにより、２つの締結部５２０が互いに締結される。
【００５０】
次いで、図７に示すように、スペーサ５００を直管形ＬＥＤランプ２００の周方向に沿って約１８０°回転させる。これにより、２つの締結部５２０が、土台部３００側に移動する。この結果、図１〜図３に示すＬＥＤ照明装置１０１が完成する。
【００５１】
次に、ＬＥＤ照明装置１０１の作用について説明する。
【００５２】
本実施形態によれば、直管形ＬＥＤランプ２００と固定部４１０との間にあるスペーサ５００が、直管形ＬＥＤランプ２００が接続可動部４２０側に移動することを阻止する。このため、接続可動部４２０は、前進状態をとり続けることとなり、後退状態をとることが阻止される。したがって、直管形ＬＥＤランプ２００が誤って取り外されてしまうことを防止することができる。
【００５３】
前進状態において固定部４１０から突出した接続可動部４２０をスペーサ５００によって覆うことにより、直管形ＬＥＤランプ２００の移動を適切に阻止することができる。スペーサ５００の円弧状部５１０が接続可動部４２０の全周を覆っていることにより、より確実に直管形ＬＥＤランプ２００の移動を適切に阻止することができる。
【００５４】
２つの締結部５２０を締結することにより、スペーサ５００が意図せず外れてしまうことを防止することができる。離間阻止手段としてリベット５８０を用いることにより、スペーサ５００をより確実に締結することができる。２つの締結部５２０を土台部３００側に位置させることにより、ＬＥＤ照明装置１０１の外観が特異な形態となってしまうことを防止することができる。
【００５５】
スペーサ５００を樹脂または金属などの弾性変形可能な材質によって形成することにより、スペーサ５００を接続可動部４２０に容易に取り付けることができる。
【００５６】
図８〜図１１は、本発明の他の実施形態を示している。なお、これらの図において、上記実施形態と同一または類似の要素には、上記実施形態と同一の符号を付している。
【００５７】
図８および図９は、本発明の第２実施形態に基づくＬＥＤ照明装置を示している。本実施形態のＬＥＤ照明装置１０２は、スペーサ５００の構成が、上述した実施形態と異なる。
【００５８】
本実施形態においては、スペーサ５００は、円弧状部５１０、２つの脚部５３０、２つの取り付け部５４０、および２つのねじ５９０を有している。円弧状部５１０は、ソケット４０１の接続可動部４２０を直管形ＬＥＤランプ２００の周方向において約１８０°の方位を覆っており、土台部３００とは反対側に配置されている。
【００５９】
２つの脚部５３０は、円弧状部５１０の両端から土台部３００に向かって延びている。２つの取り付け部５４０は、脚部５３０の先端から、両側方に延びている。各取り付け部５４０は、土台部３００に取り付けられる部位であり、孔が形成されている。２つのねじ５９０は、２つの取り付け部５４０を土台部３００に取り付けるためのものである。本実施形態においては、土台部３００には、ねじ５９０に螺合する雌ねじが形成されている。なお、ねじ５９０は、取り付けに際して作業者が土台部３００の内部において作業を行う必要がない点が利点であるが、可能であれば、ねじ５９０に代えてたとえば上述したリベット５８０を用いて取り付け部５４０を土台部３００に取り付けてもよい。
【００６０】
このような実施形態によっても、直管形ＬＥＤランプ２００が誤って取り外されてしまうことを防止することができる。また、スペーサ５００の取り付け部５４０を土台部３００に取り付けることにより、スペーサ５００が意図せず取り外されることを防止することができる。
【００６１】
図１０は、本発明の第３実施形態に基づくＬＥＤ照明装置を示している。本実施形態のＬＥＤ照明装置１０３は、スペーサ５００の構成が上述した実施形態と異なっている。
【００６２】
本実施形態においては、２つの取り付け部５４０の一方が、上述した実施形態と同様にねじ５９０によって土台部３００に取り付けられており、他方がねじ５９０を用いることなく土台部３００に係合している。土台部３００には、上述した雌ねじと取り付け用開口３１０とが形成されている。取り付け用開口３１０は、スペーサ５００の取り付け部５４０を土台部３００内に進入可能な程度のサイズおよび形状とされている。
【００６３】
スペーサ５００を取り付ける際には、一方の取り付け部５４０を取り付け用開口３１０を通して土台部３００内に進入させることにより、取り付け部５４０と土台部３００の取り付け用開口３１０とを係合させる。そして、他方の取り付け部５４０をねじ５９０によって土台部３００に取り付ける。取り付け用開口３１０は、直管形ＬＥＤランプ２００の軸方向視において、ソケット４０１の接続可動部４２０に対して図中下方に位置しており、図中左方にはほとんど飛び出していない。このため、スペーサ５００が取り付けられた後は、取り付け用開口３１０からは取り付け部５４０が容易には抜け出さない構成となっている。
【００６４】
このような実施形態によっても、直管形ＬＥＤランプ２００が誤って取り外されてしまうことを防止することができる。また、スペーサ５００をより容易に土台部３００に取り付けることができる。
【００６５】
図１１は、本発明の第４実施形態に基づくＬＥＤ照明装置を示している。本実施形態のＬＥＤ照明装置１０４は、ソケット４０１およびスペーサ５００の構成が上述した実施形態と異なっている。
【００６６】
本実施形態においては、接続可動部４２０が、図示された前進状態において固定部４１０からほとんど突出しない構成とされている。そして、直管形ＬＥＤランプ２００によって接続可動部４２０が押されると、接続可動部４２０は、固定部４１０内に没入する。この状態が、本実施形態における接続可動部４２０の後退状態である。接続可動部４２０の直径は、直管形ＬＥＤランプ２００の直径よりも若干大である。
【００６７】
スペーサ５００は、上述したＬＥＤ照明装置１０２に類似した円弧状部５１０、２つ脚部５３０、２つの取り付け部５４０、２つのねじ５９０に加えて、干渉部５５０を有している。本実施形態においては、円弧状部５１０は、直管形ＬＥＤランプ２００の口金２５０を直管形ＬＥＤランプ２００の周方向における約１８０°の方位において覆っている。また、円弧状部５１０の外周面は、ソケット４０１の固定部４１０の外周面と面一とされている。
【００６８】
干渉部５５０は、円弧状部５１０の端縁から直管形ＬＥＤランプ２００の径方向内方に延びる半円環状の板状部位である。干渉部５５０は、口金２５０とソケット４０１との間に介在しており、直管形ＬＥＤランプ２００の軸方向視において固定部４１０および接続可動部４２０の双方と重なっている。直管形ＬＥＤランプ２００によって接続可動部４２０を押そうとすると、干渉部５５０が固定部４１０および接続可動部４２０の双方に干渉する。このため、接続可動部４２０が前進状態から後退状態をとることが阻止される。
【００６９】
このような実施形態によっても、直管形ＬＥＤランプ２００が誤って取り外されてしまうことを防止することができる。なお、本実施形態とは異なり、一方の取り付け部５４０の土台部３００への取り付け形態を上述したＬＥＤ照明装置１０３における取り付け用開口３１０を利用した形態としてもよい。
【００７０】
本発明に係るＬＥＤ照明装置は、上述した実施形態に限定されるものではない。本発明に係るＬＥＤ照明装置の各部の具体的な構成は、種々に設計変更自在である。
【符号の説明】
【００７１】
１０１，１０２，１０３，１０４  ＬＥＤ照明装置
２００  直管形ＬＥＤランプ
２１０  基板
２２０  ＬＥＤチップ
２３０  放熱部材
２４０  カバー
２５０  口金
２５１  端子
３００  土台部
３１０  取り付け用開口
４０１，４０２  ソケット
４１０  固定部
４２０  接続可動部
４３０  ばね
５００  スペーサ
５１０  円弧状部
５２０  締結部
５３０  脚部
５４０  取り付け部
５５０  干渉部
５８０  リベット
５９０  ねじ
【図１】
2014078397.tif 000003
【図２】
2014078397.tif 000004
【図３】
2014078397.tif 000005
【図４】
2014078397.tif 000006
【図５】
2014078397.tif 000007
【図６】
2014078397.tif 000008
【図７】
2014078397.tif 000009
【図８】
2014078397.tif 000010
【図９】
2014078397.tif 000011
【図１０】
2014078397.tif 000012
【図１１】
2014078397.tif 000013